(57)【要約】【課題】テレビジョン受像機において、スリープタイマ機能により自己の主電源をオフにする際に、接続されている他の電子機器の主電源をもオフにする。【解決手段】タイマがリモコン装置によって設定されたスリープタイマの時間を計数したとき、制御部７が、他の電子機器に対して主電源をオフにする制御信号を出力した後、自己の主電源をオフにする。制御部７から出力された制御信号は、送信部２１及びＨＤＭＩケーブルを介してハードディスクレコーダ等の電子機器に送信され、該電子機器の主電源がオフされる。【選択図】図２
2009260727.tif 000002
【特許請求の範囲】
【請求項１】
時間を計数する時間計数手段と、スリープタイマの時間を設定するスリープタイマ設定手段と、前記時間計数手段が前記スリープタイマ設定手段によって設定された時間を計数したとき、主電源をオフにする電源制御手段と、他の電子機器と接続するためのインターフェースとを備えた電子機器において、
前記電源制御手段は、前記時間計数手段が前記スリープタイマ設定手段によって設定された時間を計数したとき、前記インターフェースによって接続された他の電子機器に、該電子機器の主電源をオフにする制御信号を該インターフェースを介して出力した後、自己の主電源をオフにすることを特徴とする電子機器。
【請求項２】
放送信号を受信する受信手段と、この受信した放送信号に基づいて映像及び音声を出力する映像音声出力手段と、時間を計数する時間計数手段と、スリープタイマの時間を設定するスリープタイマ設定手段と、前記時間計数手段が前記スリープタイマ設定手段によって設定された時間を計数したとき、主電源をオフにする電源制御手段と、他の電子機器と接続するためのインターフェースとを備えたテレビジョン受像機において、
前記電源制御手段は、前記時間計数手段が前記スリープタイマ設定手段によって設定された時間を計数したとき、前記インターフェースによって接続された他の電子機器に、該電子機器の主電源をオフにする制御信号を該インターフェースを介して出力した後、自己の主電源をオフにすることを特徴とするテレビジョン受像機。
【請求項３】
前記インターフェースは、ＨＤＭＩ（High-Definition Multimedia Interface）であることを特徴とする請求項２に記載のテレビジョン受像機。
【発明の詳細な説明】
【技術分野】
【０００１】
本発明は、スリープタイマ機能を有するテレビジョン受像機及び電子機器に関するものである。
【背景技術】
【０００２】
従来からテレビジョン受像機等の電子機器においては、時間を計数するタイマを備え、予め指定された時間が経過したときに、機器の主電源をオフにするいわゆるスリープタイマ機能を備えたものが普及している。また、近年のテレビジョン受像機等の電子機器においては、ハードディスクレコーダやＡＶデジタルアンプ等の機器との接続に、ＨＤＭＩ（High-Definition Multimedia Interface）の規格に準拠するケーブルが用いられるようなっている。ＨＤＭＩは、デジタルの映像信号と音声信号を伝送すると共に接続された各機器間で相互に制御信号を伝送することができる。
【０００３】
ところで放送受信装置においては、特許文献１に示すように、放送の受信を終了する際に受像機等の外部機器の主電源をオフにする機能が示されている。また、特許文献２には、ＩＥＥＥ１３９４インターフェースバスによって接続されている電子機器の電源制御に関する技術が示されている。また、特許文献３には、複数の電子機器のタイマ制御を一台の機器で制御できるようにしたタイマ制御方法が示されている。
【０００４】
【特許文献１】特開２００７−１６６６３８号公報
【特許文献２】特開２００２−３４４８４５号公報
【特許文献３】特開２００２−１３９５８８号公報
【発明の開示】
【発明が解決しようとする課題】
【０００５】
しかしながら、上記いずれの特許文献に開示された技術をテレビジョン受像機に適用しても、スリープタイマ機能によりテレビジョン受像機の主電源がオフにされる際に、ＨＤＭＩケーブルで接続されている電子機器の主電源をもオフにすることができず、電子機器がいたずらに電力を消費する結果を招いていた。
【０００６】
本発明は、上記課題を解決するためになされたものであり、スリープタイマ機能によりテレビジョン受像機の主電源をオフにする際に、ＨＤＭＩケーブルで接続されている他の電子機器の主電源をもオフにすることにより、接続されている電子機器を含めたＡＶシステム全体の省電力化を図ることができるテレビジョン受像機及びこれと同等の機能を備えた電子機器を提供することを目的とする。
【課題を解決するための手段】
【０００７】
上記目的を達成するために請求項１の発明は、
時間を計数する時間計数手段と、スリープタイマの時間を設定するスリープタイマ設定手段と、前記時間計数手段が前記スリープタイマ設定手段によって設定された時間を計数したとき、主電源をオフにする電源制御手段と、他の電子機器と接続するためのインターフェースとを備えた電子機器において、
前記電源制御手段は、前記時間計数手段が前記スリープタイマ設定手段によって設定された時間を計数したとき、前記インターフェースによって接続された他の電子機器に、該電子機器の主電源をオフにする制御信号を該インターフェースを介して出力した後、自己の主電源をオフにするものである。
【０００８】
請求項２の発明は、放送信号を受信する受信手段と、この受信した放送信号に基づいて映像及び音声を出力する映像音声出力手段と、時間を計数する時間計数手段と、スリープタイマの時間を設定するスリープタイマ設定手段と、前記時間計数手段が前記スリープタイマ設定手段によって設定された時間を計数したとき、主電源をオフにする電源制御手段と、他の電子機器と接続するためのインターフェースとを備えたテレビジョン受像機において、
前記電源制御手段は、前記時間計数手段が前記スリープタイマ設定手段によって設定された時間を計数したとき、前記インターフェースによって接続された他の電子機器に、該電子機器の主電源をオフにする制御信号を該インターフェースを介して出力した後、自己の主電源をオフにするものである。
【０００９】
請求項３の発明は、請求項２に記載のテレビジョン受像機において、
前記インターフェースは、ＨＤＭＩ（High-Definition Multimedia Interface）であるものである。
【発明の効果】
【００１０】
請求項１の発明によれば、時間計数手段がスリープタイマ設定手段によって設定された時間を計数したとき、電源制御手段が、他の電子機器に対して主電源をオフにする制御信号を出力した後、自己の主電源をオフにするので、他の電子機器の無駄な電力消費を防止することができる。また、ユーザはスリープタイマ設定手段によってスリープタイマの時間を任意に設定することができ、かつ実質的に複数の電子機器のスリープタイマを一度に設定することができるので、電子機器の使い勝手が向上する。
【００１１】
請求項２の発明によれば、テレビジョン受像機において、請求項１と同等の効果を得ることができる。
【００１２】
請求項３の発明によれば、テレビジョン受像機において広く普及しているＨＤＭＩを用いて制御信号を出力するので、簡素かつ安価な構成で請求項２のテレビジョン受像機を実現することができる。
【発明を実施するための最良の形態】
【００１３】
本発明を実施するための一実施形態について図面を参照して説明する。図１は音声出力装置を備えたテレビジョン受像機の内部構成を示している。テレビジョン受像機１は、テレビジョン放送信号を受信するチューナ（受信手段）２と、チューナ２によって受信された放送信号を復調するデコーダ３と、デコーダ３によって復調された放送信号を映像信号及び音声信号に分離する映像音声信号処理部４と、映像音声信号処理部４によって分離された映像信号を出力するモニタ画面を備えた映像出力部（映像音声出力手段）５と、映像音声信号処理部４によって分離された音声信号を出力するスピーカを備えた音声出力部（映像音声出力手段）６と、上記各部を制御するＣＰＵ等の制御部（電源制御手段）７と、制御部７の動作に必要な情報を記憶するメモリ８と、制御部７に各種の指令を遠隔的に入力可能なリモコン装置（スリープタイマ設定手段）９と、リモコン装置９から入力された赤外線信号を受信し電気信号に変換して制御部７に出力する赤外線受信部１０と、時間を計数するタイマ（時間計数手段）１１と、ハードディスクレコーダ１００等の電子機器と通信するためのＨＤＭＩ通信部１２とを有している。ＨＤＭＩ通信部１２は、ＨＤＭＩケーブル２０を介してハードディスクレコーダ１００のＨＤＭＩ通信部１１２と接続され、映像信号、音声信号及び制御信号を送受信する。
【００１４】
チューナ２は、アナログ放送信号及びデジタル放送信号を受信する。映像音声信号処理部４は、チューナ２が受信したアナログ放送信号及びデコーダ３によって復調されたデジタル放送信号をデジタル放送信号を処理する。映像出力部５は、制御部７から出力された指令信号に基づいて、例えば、１６：９フルモード、１６：９シネマモード、１６：９エクスパンドモード及び４：３サイドバーモード、４：３フルモード、４：３シネマモード等のスクリーンモードで画像を表示することができる。
【００１５】
制御部７は、ユーザによって設定された時間が経過すると、テレビジョン受像機１の主電源をオフにするいわゆるスリープタイマ機能を有している。ユーザは、就寝前等にリモコン装置９を操作することによりスリープタイマの時間を設定することができる。リモコン装置９を介して設定されたスリープタイマの時間は、タイマ１１によって計数される。
【００１６】
図２は、テレビジョン受像機１のＨＤＭＩ通信部１２及びハードディスクレコーダ１００のＨＤＭＩ通信部１１２の構成を示している。ＨＤＭＩ通信部１２は、ハードディスクレコーダ１００から映像信号及び音声信号等を受信するための受信部２１と、テレビジョン受像機１に関するＥＤＩＤ（Extended display identification data）を記憶するＥＤＩＤＲＯＭ２２等を有している。一方、ハードディスクレコーダ１００のＨＤＭＩ通信部１１２は、テレビジョン受像機１に映像信号等を受信するための送信部１２１等を有している。
【００１７】
ハードディスクレコーダ１００の制御部１０７から出力された映像信号及び音声信号は、著作権保護の要請のために送信部１２１によって暗号化され、ＨＤＭＩケーブル２０のＴＭＤＳ（Transition Minimized Differential Signaling）チャンネル０、ＴＭＤＳチャンネル１、ＴＭＤＳチャンネル２のラインを介してテレビジョン受像機１に送出される。また、ＨＤＭＩケーブル２０のＴＭＤＳクロックチャンネルのラインを介して、クロック信号がテレビジョン受像機１に送出される。テレビジョン受像機１の受信部２１は、暗号化された映像信号及び音声信号受信を受信し、これを復号し、制御部７に送出する。映像信号及び音声信号受信は、制御部７から映像音声信号処理部４等に転送され、映像出力部５及び音声出力部６から映像及び音声が出力される。
【００１８】
ＥＤＩＤＲＯＭ２２に記憶されたテレビジョン受像機１のＥＤＩＤは、ディスプレイデータチャンネルのラインを介してハードディスクレコーダ１００のＨＤＭＩ通信部１１２に送信される。また、テレビジョン受像機１のＨＤＭＩ通信部１２とハードディスクレコーダ１００のＨＤＭＩ通信部１１２との間では、ＣＥＣ（Consumer Electronics Control）ラインを介して各機器の制御するための制御信号が相互に送受信される。
【００１９】
本実施形態のテレビジョン受像機１は、スリープタイマによって自己の主電源をオフする際に、ＨＤＭＩケーブル２０を介して接続されているハードディスクレコーダ１００等の電子機器の主電源をもオフする機能を備えている。
【００２０】
図３は、スリープタイマ機能によって動作するときのテレビジョン受像機１の制御部７の動作を示している。スリープタイマが開始してから指定時間が経過すると（＃１においてＹＥＳ）、制御部７は、映像音声信号処理部４を介して映像出力部５にテレビジョン受像機１の主電源をオフする旨をＯＳＤ（オンスクリーンディスプレイ）表示させる（＃２）。その後、ＨＤＭＩケーブル２０を介して接続されている電子機器、すなわち図１中ハードディスクレコーダ１００に対してシステムスタンバイコマンドを発行して（＃３）、テレビジョン受像機１の主電源をオフする。このシステムスタンバイコマンドは、ハードディスクレコーダ１００の主電源をオフするためのコマンドであり、ＣＥＣラインを介してハードディスクレコーダ１００のＨＤＭＩ通信部１１２に送信される。システムスタンバイコマンドを受けたハードディスクレコーダ１００の動作に関しては後述する。なお、＃４において、制御部７は、ハードディスクレコーダ１００の主電源がオフにされたことを確認した後、テレビジョン受像機１の主電源をオフするものとしてもよい。通常制御部７は、ハードディスクレコーダ１００の動作状態を確認するコマンドを定期的に送信しているため、ハードディスクレコーダ１００からその返信を受けなくなったとき、ハードディスクレコーダ１００の主電源がオフにされたことを確認することができる。
【００２１】
図４は、テレビジョン受像機１からシステムスタンバイコマンドを受信したハードディスクレコーダ１００の制御部１０７の動作を示している。制御部１０７は、まず、ハード
ディスクレコーダ１００が再生又は録画状態にあるかを確認する（＃１１）。ハードディスクレコーダ１００が再生又は録画状態にあれば（＃１１においてＹＥＳ）、ハードディスクレコーダ１００の主電源をオフにすることなく、処理を終了する。この場合、再生又は録画の処理はそのまま継続され、テレビジョン受像機１のスリープタイマ機能により、ハードディスクレコーダ１００の録画処理が中止することがない。また、例えば、ハードディスクレコーダ１００が複数のテレビジョン受像機等と接続されており、他のテレビジョン受像機に対して映像等を再生している場合においても、再生処理が中止することがない。なお、ハードディスクレコーダ１００が再生又は録画状態になければ（＃１１においてＮＯ）、主電源をオフする（＃１２）。
【００２２】
以上のように、本実施形態のテレビジョン受像機１によれば、タイマ１１がリモコン装置９によって設定された時間を計数したとき、制御部７が、ハードディスクレコーダ１００等の他の電子機器に対してシステムスタンバイコマンド、すなわち主電源をオフにする制御信号を出力した後、自己の主電源をオフにするので、他の電子機器の無駄な電力消費を防止することができる。また、ユーザはリモコン装置９によってスリープタイマの時間を任意に設定することができ、かつテレビジョン受像機１に接続されている複数の電子機器のスリープタイマを一度に設定することができるので、電子機器の使い勝手が向上する。また、テレビジョン受像機において広く普及しているＨＤＭＩを用いて他の電子機器に制御信号を送信するので、テレビジョン受像機の構成を安価なものとすることができる。
【００２３】
なお、本発明は上記実施形態の構成に限られることなく、少なくとも、タイマ１１がリモコン装置９によって設定された時間を計数したとき、制御部７が、他の電子機器に対して主電源をオフにする制御信号を出力した後、自己の主電源をオフにするように構成されていればよい。また、本発明は、テレビジョン受像機に限られることなく、相互に接続可能な電子機器にも広く適用することができる。この場合、電子機器間の接続は、ＨＤＭＩを介するものに限られることなく、例えば、無線ＬＡＮや独自の通信規格によってなされるものであってもよい。
【図面の簡単な説明】
【００２４】
【図１】本発明の実施形態によるテレビジョン受像機の構成を示す図。
【図２】テレビジョン受像機のＨＤＭＩ通信部及びハードディスクレコーダのＨＤＭＩ通信部の構成を示すブロック図。
【図３】スリープタイマ機能によって動作するときのテレビジョン受像機の制御部の動作を示すフローチャート。
【図４】テレビジョン受像機からシステムスタンバイコマンドを受信したハードディスクレコーダの制御部の動作を示すフローチャート。
【符号の説明】
【００２５】
１    テレビジョン受像機（電子機器）
７    制御部（電源制御手段）
９    リモコン装置（スリープタイマ設定手段）
１１    タイマ（時間計数手段）
１２    ＨＤＭＩ通信部
２０    ＨＤＭＩケーブル
【図１】
2009260727.tif 000003
【図２】
2009260727.tif 000004
【図３】
2009260727.tif 000005
【図４】
2009260727.tif 000006